(57)【要約】【課題】ＬＥＤ照明機器を提供すること。【解決手段】本発明は、ＬＥＤ素子の効率を向上させ且つ寿命を延ばす技術に関する。さらに、本発明は、電源供給装置の効率を上昇させながらもコストを画期的に節減することができ、コンバータに用いられる出力側の電解キャパシタを使用することなくＬＥＤランプモジュールに十分なＬＥＤ駆動電源を供給することができるうえ、コンバータの寿命を延ばす技術に関する。結果的に、本発明は、製品コストおよびメンテナンス費用を節減させ、ＬＥＤ照明灯器具の寿命を延ばす技術に関する。【選択図】図６
2014531736.tif 000002
【特許請求の範囲】
【請求項１】
ＬＥＤ照明機器において、
前記ＬＥＤ照明機器は、
一つ以上のＬＥＤ素子を直列に構成したＬＥＤランプモジュールと、
前記ＬＥＤランプモジュールに接続されてＬＥＤ素子の駆動電源を供給する装置であって、ハフブリッジ回路、出力平滑回路および出力側の電解キャパシタを除去した単純化回路からなる高電圧小電流方式のＬＥＤランプモジュール用電源供給装置とを含んでなり、
前記ＬＥＤランプモジュール用電源供給装置は、
入力電源から誘起される雑音を除去し、落雷によるサージから製品を保護するためのヒューズを含む入力フィルター部と、
前記入力フィルター部に接続され、交流入力電圧を整流して直流電圧に変換するブリッジ整流部と、
前記ブリッジ整流部に接続され、入力された直流電圧を一定に維持させ、力率を改善すし、別の変換回路を構成せずにＬＥＤランプモジュールの駆動電源を供給するように構成された力率整合部と、
前記ブリッジ整流部の出力側に接続され、力率整合部を含む電流センサーの駆動電源を供給する補助電源供給部と、
前記ＬＥＤ素子に力率の改善された電流を供給するために、前記力率整合部からＬＥＤランプモジュールへ供給される駆動電流を感知する電流センサーとから構成される、ＬＥＤ照明機器。
【発明の詳細な説明】
【技術分野】
【０００１】
本発明は、ＬＥＤ街路灯などを含む全てのＬＥＤ照明灯器具を構成するＬＥＤランプモジュールと電源供給装置、すなわちコンバータの寿命を延ばす技術に関する。
さらに詳しくは、本発明は、ＬＥＤ素子の効率を向上させ且つその寿命を延ばし、電源供給装置の効率を上昇させながらもコストを画期的に節減することができ、コンバータに用いられる出力側の電解キャパシタを使用することなくＬＥＤランプモジュールに十分なＬＥＤ駆動電源を供給することができるうえ、コンバータの寿命を延ばす技術に関する。結果的に、本発明は、製品コストおよびメンテナンス費用を節減させ、ＬＥＤ照明灯器具の寿命を延ばす技術に関する。
【背景技術】
【０００２】
一般に、ＬＥＤ照明灯器具の寿命に影響を及ぼす要素は、次の２つに大別される。
【０００３】
第一に、ＬＥＤ灯器具のランプを構成するＬＥＤ素子の光効率と、該光効率の適用されたＬＥＤ素子が駆動されるときにＬＥＤ素子のベースから発生する発熱温度、すなわちジャンクション温度（Ｔｊ℃）がそれである。コンバータの寿命は、通常、ＬＥＤ素子の寿命に比べて相当短い。すなわち、このＬＥＤモジュール電源供給装置（コンバータ）の寿命が通常のＬＥＤ照明灯器具の寿命であるといえる。
【０００４】
第二に、ＬＥＤランプモジュールに駆動電源を供給する電源供給装置、すなわちコンバータの寿命が挙げられる。本発明は、通常のＬＥＤランプモジュールを構成する方法とは異なる、ＬＥＤ素子から要求される最適の駆動条件を適用したＬＥＤランプモジュールの構成方法であるとともに、ＬＥＤ素子のジャンクション温度を減少させる放熱技術に関するものである。
ＬＥＤ街路灯器具を含む高容量のＬＥＤ照明灯器具は、室内灯とは異なり、消費電力が数百ワットに達する。よって、これを照明器具に作るためには、数十〜数百個のＬＥＤ素子を用いてＬＥＤランプモジュールを構成するしかない。
この際、通常の電源供給装置を用いてＬＥＤモジュールを構成すると、電源供給装置の出力電圧である直流１２Ｖ〜直流２４ＶをＬＥＤランプモジュールの駆動電圧として適用し、この場合、ＬＥＤ素子は灯器具の容量に応じて直列と並列に適宜構成される。
【０００５】
図１は従来の直列および並列にＬＥＤランプモジュールを構成したことを示す図である。図１を参照すると、ＬＥＤランプモジュール全体に対して一つのコンバータで電流を制御する場合、いずれか１グループの素子に異常が発生して正常な役割を果たすことができなくなると、異常のあるグループに流れている電流が他のグループのＬＥＤ素子にさらに加わって過電流が流れることになり、このような現象が持続すると、結果的にＬＥＤモジュール全体を使用することができなくなる。
【０００６】
このような理由により、図２および図３に示すように、従来のＬＥＤ灯器具は、ＬＥＤランプモジュール全体負荷の電力を供給することが可能な電源供給装置（コンバータ）をメイン駆動装置として用い、ここに各グループ別にＬＥＤランプモジュールを保護する個別定電流ドライバ素子を用いてＬＥＤランプを保護した。
【０００７】
図２は定電流ドライバを各列に付加形成したことを示し、図３は図２の定電流ドライバを示す図である。
【０００８】
ところが、このような技術は、容量が数百ワット以上となる大容量ＬＥＤ灯器具の場合、数個〜十数個以上の個別ドライバ回路を備えなければならないので、回路の複雑化および部品の増加に伴う不良発生率が増加する問題があって、結果として、ＬＥＤ灯器具の価格が上昇するのはもとより、製品の寿命を短縮させる要因となる。
【０００９】
また、ＬＥＤ灯器具のコストダウンのために、１つのＬＥＤパッケージの消費電力として、ＬＥＤ素子が許容する最大容量の７０％以上の消費電力を適用して構成する場合が多いが、これはＬＥＤ素子の発熱を上昇させ且つ寿命を短縮させる結果をもたらす。
このような方式で構成されたＬＥＤランプモジュールに適用する電源供給装置（コンバータ）は、出力電圧が低く出力電流が高い低電圧大電流方式となる。この場合、図４および図５に示すように、出力電流が高くなる分だけ、出力電圧に含まれる脈流（リップル（Ｒｉｐｐｌｅ））を除去するための部品電解キャパシタを相当量使用しなければならないが、これは製品の寿命を相当短縮させる結果となる。
これは電源供給装置に用いられる電解キャパシタの寿命がＬＥＤ灯器具の寿命を左右すると見なされるためである。
このような低電圧大電流方式の電源供給装置を使用する場合、コンバータからＬＥＤランプモジュールまでの線路長さに応じて電圧降下が発生してコンバータとＬＥＤランプとの離隔距離に限界があるという欠点がある。
すなわち、ＬＥＤ街路灯器具とコンバータとの離隔距離を数ｍ以内に制限するしかなく、電源供給装置を街路灯器具内に装着させざるを得ない。
ＬＥＤ街路灯の場合、ＬＥＤランプの寿命より電源供給装置の寿命が著しく劣ることを考慮に入れると、電源供給装置は取り替えが容易な街灯柱の下端部（点検口）に取り付けることが当然である。
このような問題は街路灯に局限されるものではなく、街路灯より照明の高さが一層高い照明塔の場合はさらに深刻な問題になるであろう。
照明塔は高さが１５ｍ〜５０ｍと様々であり、電源供給装置は照明塔の周囲に設置される分電盤内に取り付ける場合が大部分である。
すなわち、照明塔は、ＬＥＤランプと電源供給装置との離隔距離が最短２０ｍから最長約１００ｍまで長くなることが発生するが、この場合、低電圧大電流方式の電源供給装置は、照明塔分電盤に取り付けることができず、灯器具に取り付ける。
また、照明塔には街路灯とは異なり照明塔器具が数個〜数十個まで取り付けられ、電源供給装置の不良発生率が街路灯より一層高い。
このような環境で問題が発生すると、電源供給装置の取り替え時ごとに高価のクレーンを使用しなければならないため、迅速な対応が難しいうえ、メンテナンス費用の増加に繋がる。よって、省エネルギーが最大目標であるＬＥＤ灯器具の基本目的に充実しないといえる。
また、図６および図７に示すように、ＬＥＤモジュールの駆動電圧が低くなると、交流２２０Ｖを整流し、整流された電圧の力率改善によって供給された高い直流電圧をＬＥＤモジュール駆動電圧としての直流１２Ｖ〜２４Ｖに低めるためのＤＣ／ＡＣ変換器は、ハフブリッジ回路部を構成するメイントランスフォーマやパワートランジスタなどと、その回路を制御するＰＷＭコントローラ部およびスイッチングドライバ部などを構成する周辺の様々な部品から構成され、前記変換された交流をさらに直流に変換するＡＣ／ＤＣ変換器に適用される出力側フィルター部を構成する整流ダイオードと平滑インダクターなどが使用されるが、これは電源供給装置のコスト構成の大部分を占めるといえる。
前述した部分の動作過程を経ながら、電源供給装置の効率が低下する原因として作用する。しかも、前述した部品などから発生する相当な発熱により、電源供給装置の不良率が高くなり且つ製品の寿命を短縮させる結果となる。
【発明の概要】
【発明が解決しようとする課題】
【００１０】
上述した問題点を解決するための本発明のＬＥＤ照明機器は、電源供給装置の回路を画期的に単純化してコストを節減させるとともに、電源供給装置の寿命に至大な影響を及ぼす電解コンデンサを使用することなくＬＥＤモジュールに正常な駆動電圧を供給することが可能なコンバータを提供することを目的とする。
【００１１】
また、本発明は、照明塔または街路灯の下端部に取り付けてＬＥＤランプと電源供給装置との離隔距離が遠くても電圧降下が発生しない電源供給装置を提供することにより、ＬＥＤの寿命より短い寿命の電源供給装置の取り替えの際に発生する管理費を節減してＬＥＤ照明器具の目的に充実した電源供給装置を提供することを目的とする。
【００１２】
また、本発明に係るＬＥＤ照明機器は、従来の電源供給装置（コンバータ）のスイッチング部と出力フィルター部を適用することなく力率整合部の電源をＬＥＤランプモジュールの電源として供給することにより、コンバータの効率を向上させて従来のコンバータの効率を一層上回る高効率の電源供給装置を提供することを目的とする。
【課題を解決するための手段】
【００１３】
上記目的を達成するために、本発明は、一つ以上のＬＥＤ素子を直列に構成したＬＥＤランプモジュールと、前記ＬＥＤランプモジュールに接続されてＬＥＤ素子の駆動電源を供給する装置であって、ハフブリッジ回路、出力平滑回路および出力側の電解キャパシタを除去した単純化回路からなる高電圧小電流方式のＬＥＤランプモジュール用電源供給装置とを含んでなり、前記ＬＥＤランプモジュール用電源供給装置は、入力電源から誘起される雑音を除去し、落雷によるサージから製品を保護するためのヒューズを含む入力フィルター部と、前記入力フィルター部に接続され、交流入力電圧を整流して直流電圧に変換するブリッジ整流部と、前記ブリッジ整流部に接続され、入力された直流電圧を一定に維持させて力率を改善する力率整合部と、前記ブリッジ整流部の出力側に接続され、力率整合部を含む電流センサーなどの駆動電源を供給する補助電源供給部と、前記駆動電圧部に接続され、ＬＥＤランプモジュールに供給される駆動電流を制限する電流センサーとから構成されることを特徴とする、ＬＥＤ照明機器を提供する。
【発明の効果】
【００１４】
本発明に係るＬＥＤ照明機器の構成によれば、「省エネルギーと長寿命」が最大目標であるＬＥＤ照明灯器具の最適の駆動環境を考慮してＬＥＤランプモジュールを設計することにより、ＬＥＤランプ駆動の際に発生する発熱を最小化し、かつ駆動電流に対して最高の光速を提供するようにＬＥＤランプモジュールを設計することにより、ＬＥＤ照明器具に要求される期待寿命を最大限充足させることができる。
【００１５】
また、本発明によれば、ＬＥＤランプモジュールを備えた電源供給装置を高電圧小電流方式で構成することで、コンバータの寿命に至大な影響を及ぼす電解キャパシタを使用しなくても十分な電源を供給することが可能な電源供給装置を実現することにより、従来のＬＥＤランプモジュールに比べて寿命が著しく劣る電源供給装置の寿命を延ばしてＬＥＤランプモジュールと対等な電源供給装置を提供し、これによりＬＥＤ照明灯器具のメンテナンス費用を節減することができる。
【００１６】
また、本発明によれば、ＬＥＤランプモジュールに使用する電源供給装置の回路を簡単に構成し、効率低下要因として作用する部分を除去して、従来の９０％〜９３％であった電源供給装置の効率を９５％〜９７％に上昇させることにより、ＬＥＤ灯器具の光効率を向上させることができる。
また、本発明によれば、構成する部品を画期的に単純化して製品の不良発生率を減少させるとともに、電源供給装置の原価を画期的に節減してＬＥＤ照明灯器具のコストダウンを図ることができる。
【００１７】
また、本発明の実施のための具体的な内容によるもう一つの効果は、電源供給装置を高電圧小電流方式で設計することができるから、電源供給装置とＬＥＤランプとの離隔距離が長くても電圧降下が起こらないため電源供給装置を街路灯および保安灯器具に内蔵し、或いは街灯柱の下端部（点検口）に取り付けても調整なしで使用することができる。
【００１８】
本発明で提供する高電圧小電流方式の電源供給装置を照明塔に適用する場合、その効果は街路灯より一層大きいといえる。
【００１９】
照明塔は、その高さが約１０ｍ〜５０ｍと様々であり、周辺線路まで考慮すると、ＬＥＤランプとの離隔距離は一層長くなり、照明灯の数量も数個〜数十個と様々である。
【００２０】
このような照明塔の電源供給装置は照明塔周辺の分電盤に設置する場合が大部分であるが、これは問題発生の際に修理および取り替えによる困難さに迅速に対応してメンテナンス費用を節減しようとすることに目的がある。
【００２１】
本発明で提供する高電圧小電流方式の電源供給装置は、ＬＥＤランプと電源供給装置との離隔距離１００ｍまでも電圧降下がないため、１回の設計で灯器具内蔵用製品としても使用が可能であり、離隔距離約１０ｍの街路灯の下端部から約１００ｍの離隔距離を有する照明塔分電盤にも取り付けが可能である。
【００２２】
これは、ＬＥＤランプに比べて著しく短い寿命によりＬＥＤランプの寿命期間中に電源供給装置を取り替えるとき、別の高価装備を使用しなくてもよいことを示唆する。よって、迅速な対応が可能であるうえ、メンテナンス費用を大幅節減することができるため、ＬＥＤ照明器具の最大目標である長寿命および省エネルギーの目的に充実した製品を提供する効果も大きい。
【図面の簡単な説明】
【００２３】
【図１】従来の直列および並列にＬＥＤランプモジュールを構成したことを示す図である。
【図２】定電流ドライバを各列に付加形成したことを示す図である。
【図３】図２の定電流ドライバを示す図である。
【図４】出力電圧脈流除去用電解キャパシタを用いた電源供給装置の回路図である。
【図５】出力電圧脈流除去用電解キャパシタを用いた電源供給装置の斜視図である。
【図６】従来の駆動電圧が低いＬＥＤモジュールに適用されるコンバータのブロック図である。
【図７】従来の駆動電圧が低いＬＥＤモジュールに適用されるコンバータの回路図である。
【図８】本発明の一実施例に係る照明機器の構成図である。
【図９】本発明の一実施例に係る照明機器の電源供給装置を示すブロック図である。
【図１０】本発明の一実施例に係る照明機器の電源供給装置を示す回路図である。
【発明を実施するための形態】
【００２４】
以下に添付図面を参照しながら、本発明の好適な実施例を詳細に説明する。
図８は本発明の一実施例に係る照明機器の構成図である。
図９は本発明の一実施例に係る照明機器の電源供給装置を示すブロック図である。図１０は本発明の一実施例に係る照明機器の電源供給装置を示す回路図である。
本発明の実施例に係る照明機器は、一つ以上のＬＥＤランプモジュールと、外部電源から電気エネルギーの供給を受けてＬＥＤランプモジュールを駆動するための電源供給装置（ＳＭＰＳ、Ｓｗｉｔｃｈｉｎｇ Ｍｏｄｅ Ｐｏｗｅｒ Ｓｕｐｐｌｙ）とを含んでなる。
【００２５】
本発明の実施例に係るＬＥＤランプモジュール４００は、図示の如く、直列に一つ以上が配列されている。また、前記電源供給装置は交流周波数を直流に変換し、高い周波数に変更してＬＥＤランプモジュールへ電気を供給する。
【００２６】
次に、ＬＥＤ素子の個数を決定することについて詳細に説明する。
【００２７】
表１はジャンクション温度２５℃を基準としてＬＥＤ素子の駆動電流によるＬＥＤ素子から出る光束を示す。
【００２８】
【表１】
2014531736.tif 000003
【００２９】
〈ＬＥＤ素子の駆動電流による光束［１ｍ］〉
表１を参照すると、駆動電流が３５０ｍＡのときに、光束は１００％である。ところが、駆動電流が２倍である７００ｍＡのときに、光束は、２００％になるべきであるが、１７０％程度に落ちたことが分かる。また、３倍である１０５０ｍＡの駆動電流を供給すると、光束は２５０％にさらに落ちることが分かる。これは、光束に対してジャンクション温度が最も低い地点の駆動電流は３５０ｍＡであることを示す。
【００３０】
一方、表２はＬＥＤ素子の消費電力による寿命を示すグラフである。
【００３１】
【表２】
2014531736.tif 000004
【００３２】
〈Ｌｉｆｅ Ｔｉｍｅ Ｇｒａｐｈ〉
表２を参照すると、ＬＥＤ素子の許容容量（Ｗ）の３０％程度の消費電力を使用するときに寿命が最も長いことが分かる。よって、光束が１００％のときの駆動電流３５０ｍＡを適用して消費電力を計算すると、ＬＥＤ素子の個別消費電力が１．０５Ｗのときに効率に対する寿命が最も長いといえる。
【００３３】
前述のデータを適用すると、ＬＥＤランプモジュールは、ＬＥＤ素子の個別消費電力が１Ｗと計算され、ＬＥＤ灯器具の容量に合うＬＥＤパッケージの数量を決定する。すなわち、消費電力１００ＷのＬＥＤ街路灯器具のＬＥＤランプモジュールは、「１００Ｗ÷１Ｗ＝１００個」のＬＥＤランプであって、許容容量３ＷのＬＥＤパッケージ１００個を直列に接続してＬＥＤモジュールＰＣＢを構成し、ＬＥＤモジュールの駆動電流として前述のように３５０ｍＡを適用し、ＬＥＤ１個当たり駆動電圧ＶｆとしてＤＣ３Ｖを適用すると、「３Ｖ×１００ｅａ＝ＤＣ３００Ｖ」となる。
【００３４】
したがって、本発明に係るＬＥＤランプモジュールでは、ＬＥＤ駆動電流は３５０ｍＡを適用し、その駆動電圧は灯器具の容量に応じて前述の計算によって定められる。
【００３５】
一方、前述したＬＥＤランプモジュールの駆動電源は、ＤＣ３００Ｖ、０．３５Ａの出力電源を供給する装置であって、消費電流が１Ａの３０％程度に相当する０．３５Ａであるから、図４および図５に適用された電解キャパシタを使用する必要がなくなる。但し、必要に応じて、フィルムキャパシタを代替使用すればよいが、フィルムキャパシタは寿命を全く考慮に入れない。
【００３６】
以下、表３〜表５を参照して、キャパシタの種類による製品の寿命について説明する。
【００３７】
表３は電解キャパシタの寿命計算式を示し、表４は電解キャパシタを適用した製品の寿命を示し、表５はフィルムキャパシタを適用した製品の寿命を示す。
【００３８】
【表３】
2014531736.tif 000005
【００３９】
【表４】
2014531736.tif 000006
【００４０】
【表５】
2014531736.tif 000007
【００４１】
表４および表５より、電解キャパシタとフィルムキャパシタを適用すると仮定するとき、寿命を計算すると、電解キャパシタの使用有無によって寿命が大きく異なることを確認することができる。ここで、本発明の実施例では、フィルムキャパシタの寿命は電解キャパシタの計算式に代入して算出したものである。
【００４２】
以下、本発明の一実施例に係る電源供給装置を詳細に説明する。図９および図１０を参照すると、前記電源供給装置３０は、入力フィルター部３００、ブリッジ整流部３１１、力率整合部３１２、補助電源供給部および電流センサーを含んでなる。
【００４３】
商用電気が入力フィルター部の入力側に印加される。本発明の実施例では交流２２０Ｖが印加される。
【００４４】
前記入力フィルター部３００は、異常状況の際に、外部から入力される電源を遮断するためのヒューズが備えられる。電気的短絡、落雷によるサージ電圧など、外部電源から定格電流および定格電圧を超過する過度な電気が印加される異常状況の場合、電源供給装置を保護するために電気を遮断する。また、入力電源から誘起される雑音を除去する。
【００４５】
前記入力フィルター部の出力側にはブリッジ整流部が電気的に接続される。前記ブリッジ整流部３１１は、入力される交流電源を直流電源に変換させるために通常のブリッジ整流回路が備えられる。これに加えて、整流された直流電源の出力を一定に維持するために、平滑回路が付加設置できる。ブリッジ整流回路で整流された直流電源は、リップルを除去するための構成として、インダクターとコンデンサからなる低域フィルター回路を構成することができる。このように整流された直流電源は力率整合部へ出力される。
【００４６】
前記力率整合部３１２は、入力直流電圧を一定に維持させ、力率を改善するうえ、ＬＥＤランプモジュール２０に駆動電圧を供給する。前記力率整合部は、力率を改善する過程でブリッジ整流回路から交流２２０Ｖが整流され、フィルター回路により脈流が除去された直流電圧の力率を改善するためのＰＦＣ（Ｐｏｗｅｒ Ｆａｃｔｏｒ Ｃｏｒｒｅｃｔｉｏｎ）回路のトランスおよびスイッチング変化によって所望の直流電圧を得る。コンデンサ入力型電源から必然的に発生する力率と高調波歪みを改善することができる。また、無効電力を減少させて電力効率を増加させることができる。
【００４７】
前記力率整合部の出力側にはＬＥＤランプモジュールが接続されている。力率整合部から得られた直流電圧をＬＥＤランプの駆動電圧として印加する。
前記電流センサー４１０は、力率整合部からＬＥＤランプモジュールへ供給される駆動電流を感知してＬＥＤ素子に最適の電流（力率が改善された電流）を供給するように制限する機能を行う。
一方、前記ブリッジ整流部の出力側に接続される補助電源供給部は、前記力率整合部および電流センサー４１０の素子の駆動電源を供給する。
【００４８】
このように構成された本発明の一実施例に係る照明機器は、図７の従来の低い出力電圧と高い出力電流を供給する電源供給装置の構成要素である、高電圧から低電圧に変換するためのＱ３、Ｑ４のトランジスタを含むハフブリッジ回路部や、ＤＣ／ＡＣ変換トランスＴ１、ＰＷＭコントローラＩＣ（Ｕ６）を含む制御部、スイッチングドライバ（Ｕ９）周辺回路、出力側のフィルター部を構成する整流ダイオードＤ１５、Ｄ１６および平滑インダクターＬ５、Ｌ６、脈流除去用電解キャパシタＣ３８〜Ｃ４１などの従来の電源供給装置を構成する相当部分の回路を構成しなくても、ＬＥＤランプモジュールに十分な電源を供給することができる。
【００４９】
しかも、一般に電源供給装置の効率が低下する要因としては、入力側のブリッジ整流部の整流過程から発生する損失、力率整合部の力率改善のためのスイッチングによる損失、力率整合部で変換された高電圧を従来のＬＥＤランプモジュールが要求する低電圧に変換するためのハフブリッジスイッチング部の損失、および出力側整流回路およびフィルタリングから発生する損失が挙げられる。本発明の実施例に係る構成によれば、前述したハフブリッジスイッチング部、出力整流部およびフィルター部を構成しなくても、出力変換スイッチング損失と出力整流部およびフィルタリングによる損失を最小化することができるため、従来の回路構成による効率より５％〜７％上昇させることができるという利点がある。
【００５０】
また、従来の技術に係る回路構成に比べてより少ない数の部品を使用することにより、製品コストの約５０％程度への節減が可能である。
【００５１】
以上、本発明を具体的な実施例によって詳細に説明したが、本発明は、これらの実施例に限定されるものではなく、本発明の技術的思想の範囲内において、通常の知識を有する者によって様々な変形が可能である。
【図１】
2014531736.tif 000008
【図２】
2014531736.tif 000009
【図３】
2014531736.tif 000010
【図４】
2014531736.tif 000011
【図５】
2014531736.tif 000012
【図６】
2014531736.tif 000013
【図７】
2014531736.tif 000014
【図８】
2014531736.tif 000015
【図９】
2014531736.tif 000016
【図１０】
2014531736.tif 000017
【国際調査報告】
2014531736.tif 000018
2014531736.tif 000019
2014531736.tif 000020
2014531736.tif 000021